(57)【要約】【課題】換気時間を最適に設定することで、脱臭効果を十分得ることができ、電気代も節約でき、長時間にわたる駆動音も無くすことができるようにする。【解決手段】この発明の浴室暖房乾燥装置１は、浴室２に暖気を循環させるとともに、浴室２およびトイレ３を含む各室の換気を行う装置であり、各室２，３から延出する吸気ダクト１１，１２および屋外に連通する屋外排気ダクト１３を備える換気室１４と、換気室１４に設けられた換気ファン１５、臭いセンサ１６と、トイレ３のトイレ照明スイッチ３１と、当該装置１の全体動作を制御する装置制御部１０とを有し、装置制御部１０は、トイレ照明スイッチ３１のオンで換気ファン１５を駆動して換気を行い、オンからオフに切り替わった後は、臭いセンサ１６の検出信号が所定値以下であることを検出したとき換気ファン１５を停止し換気を終了する、ことを特徴としている。【選択図】図１
2008309414.tif 000002
【特許請求の範囲】
【請求項１】
浴室に暖気を循環させるとともに、少なくとも浴室およびトイレを含む各室の換気を行う浴室暖房乾燥装置において、
上記各室から延出する吸気ダクトおよび屋外に連通する排気ダクトを備える換気室と、
上記換気室に設けられた換気ファンと、
上記換気室に設けられた臭いセンサと、
上記トイレに設けられたトイレ照明スイッチと、
当該装置の全体動作を制御する装置制御部と、を有し、
上記装置制御部は、トイレ照明スイッチのオンで換気ファンを駆動して換気を行い、オンからオフに切り替わった後は、臭いセンサの検出信号が所定値以下であることを検出したとき換気ファンを停止し換気を終了する、
ことを特徴とする浴室暖房乾燥装置。
【請求項２】
上記装置制御部は、トイレ照明スイッチがオンからオフへ切り替わった後、予め設定した時間を経過しても臭いセンサの検出信号が所定値以下とならない場合は、換気ファンの強制停止を行う、請求項１に記載の浴室暖房乾燥装置。
【請求項３】
上記換気ファンの強制停止時には、リモコンの表示部に換気未完了の報知を行う、請求項２に記載の浴室暖房乾燥装置。
【発明の詳細な説明】
【技術分野】
【０００１】
本発明は、浴室に暖気を循環させるとともに、少なくとも浴室およびトイレを含む各室の換気を行う浴室暖房乾燥装置に関するものである。
【背景技術】
【０００２】
浴室暖房乾燥装置には浴室や脱衣室以外にもトイレを換気する機能を備えているものがある（例えば、下記の特許文献１参照）。
【特許文献１】特開２００４−２５１５０３号公報
【０００３】
浴室暖房乾燥装置のトイレ換気はトイレの照明スイッチと連動して行うようになっていて、中には照明スイッチをオフしてから一定時間は換気動作を継続するものもある。
【０００４】
トイレ換気は不快な臭いを外に送り出すことを目的としているが、使用状況によって換気に必要な時間はまちまちであり、換気時間を短く設定すると脱臭効果が十分でないことがある。逆に、換気時間を十分長く設定すると換気動作のためその分の電気代がかかったり、換気中の駆動音をうるさく感じるようになるといった問題点を有していた。一方、使用者がトイレ使用後に換気が完了していることを、わざわざ確認し、停止しにくるのも非常に手間である。
【０００５】
このように、換気が照明スイッチと連動しているだけである従来技術では、最適な換気時間を設定することが困難であり、短すぎて脱臭効果が十分でなかったり、長すぎて電気代がかかったり駆動音がうるさかったりしていた。
【発明の開示】
【発明が解決しようとする課題】
【０００６】
この発明は上記に鑑み提案されたもので、換気時間を最適に設定することで、脱臭効果を十分得ることができ、電気代も節約でき、長時間にわたる駆動音も無くすことができる浴室暖房乾燥装置を提供することを目的とする。
【課題を解決するための手段】
【０００７】
上記目的を達成するために、請求項１に記載の発明は、浴室に暖気を循環させるとともに、少なくとも浴室およびトイレを含む各室の換気を行う浴室暖房乾燥装置において、上記各室から延出する吸気ダクトおよび屋外に連通する屋外排気ダクトを備える換気室と、上記換気室に設けられた換気ファンと、上記換気室に設けられた臭いセンサと、上記トイレに設けられたトイレ照明スイッチと、当該装置の全体動作を制御する装置制御部と、を有し、上記装置制御部は、トイレ照明スイッチのオンで換気ファンを駆動して換気を行い、オンからオフに切り替わった後は、臭いセンサの検出信号が所定値以下であることを検出したとき換気ファンを停止し換気を終了する、ことを特徴としている。
【０００８】
また、請求項２に記載の発明は、上記した請求項１に記載の発明において、上記装置制御部は、トイレ照明スイッチがオンからオフへ切り替わった後、予め設定した時間を経過しても臭いセンサの検出信号が所定値以下とならない場合は、換気ファンの強制停止を行うようにしたものである。
【０００９】
また、請求項３に記載の発明は、上記した請求項２に記載の発明において、上記換気ファンの強制停止時には、リモコンの表示部に換気未完了の報知を行うようにしたものである。
【発明の効果】
【００１０】
この発明の浴室暖房乾燥装置では、臭いセンサの検出信号に基づいて換気時間を最適に設定することでき、したがって、脱臭効果を十分得ることができ、省エネ効果も得られて電気代を節約でき、長時間にわたる駆動音も無くすことができる。
【発明を実施するための最良の形態】
【００１１】
以下にこの発明の実施の形態を図面に基づいて詳細に説明する。
【００１２】
図１はこの発明の浴室暖房乾燥装置の全体構成を示す図である。図において、この発明の浴室暖房乾燥装置１は、浴室２に暖気を循環させるとともに、少なくとも浴室２およびトイレ３を含む各室の換気を行う装置であり、浴室２から延出する浴室吸気ダクト１１、トイレ３から延出するトイレ吸気ダクト１２および屋外に連通する排気ダクト１３を備える換気室１４と、その換気室１４に設けられた換気ファン１５および臭いセンサ１６と、浴室吸気ダクト１１の通路を開閉する開閉弁１９と、トイレ３に設けられたトイレ照明スイッチ３１と、当該装置１の全体動作を制御する装置制御部１０とを有している。
【００１３】
臭いセンサ１６は、換気時のトイレ３からの臭気度合いを検出するセンサである。
【００１４】
浴室２の天井裏には循環室１７が設けられ、この循環室１７には循環ファンや熱交換器等を備えてなる循環および熱交換部１８が備えられている。
【００１５】
そして、上記の換気ファン１５、臭いセンサ１６、開閉弁１９およびトイレ照明スイッチ３１はそれぞれ装置制御部１０に電気的に接続されている。
【００１６】
また、リモートコントローラ（以下「リモコン」という）２０が、例えば浴室２の壁面に取り付けられ、リモコン２０と装置制御部１０とは、通信線で接続されている。リモコン２０には表示部２１があり、リモコン２０自身や浴室暖房乾燥装置１の状態を表示する。また、リモコン２０には、浴室２の暖房運転を開始する暖気スイッチ２２、および浴室２の乾燥運転を開始する乾燥スイッチ２３が設けられている。
【００１７】
装置制御部１０は、ＣＰＵ、ＲＯＭ、ＲＡＭからなるマイクロコンピュータ（以下、「マイコン」という）を中心に構成され、ＣＰＵがプログラムに従って実行するソフトウェアの機能として、下記のような制御動作を行う。
【００１８】
すなわち、リモコン２０の暖気スイッチ２２がオンされると、装置制御部１０は、循環および熱交換部１８を駆動させ、浴室２の空気を吸引し加熱した後再度浴室２に戻して浴室２の空気を循環させ、この暖気動作を設定された時間にわたって行い浴室２の暖房を行う。このとき開閉弁１９は閉じている。
【００１９】
また、リモコン２０の乾燥スイッチ２３がオンされると、装置制御部１０は、上記の暖気動作を行うとともに、開閉弁１９を開放し換気ファン１５を駆動することにより、浴室２の排気動作を同時に行い、設定された時間にわたって乾燥モードでの運転を行う。
【００２０】
トイレ３が使用されトイレ照明スイッチ３１がオンされると、装置制御部１０は、本発明に係る換気動作を行う。すなわち、換気ファン１５を駆動してトイレ３の換気を開始する。続いて、トイレ３の使用が終了しトイレ照明スイッチ３１がオンからオフに切り替わると、そのまま短時間（例えば１分間）換気を継続した後、臭いセンサ１６の検出信号が所定値（所定レベル）以下であるか否かを判別し、所定値以下であれば、トイレ３の室内に不快となる臭気が無い、または不快と感じない程度の臭気となっていると判断し、換気ファン１５を停止し換気を終了する。臭いセンサ１６の検出信号が所定値以上であれば、脱臭が不十分だと判断しそのまま換気を継続する。
【００２１】
また、トイレ照明スイッチ３１がオンからオフへ切り替わった後、予め装置制御部１０に設定されている所定時間（例えば７分）を経過しても臭いセンサ１６の検出信号が所定値以下とならず、臭気が不快レベルを下回らない場合は、換気ファン１５の強制停止を行う。このとき、リモコン２０の表示部２１に換気が完了しなかったことを表示する。
【００２２】
図２は本発明の換気動作のフローチャートを示す図である。装置制御部１０は、先ずステップＳ１において、トイレ３が使用されてトイレ照明スイッチ３１がオンされたことを検出し、次のステップＳ２に進む。
【００２３】
ステップＳ２では、換気ファン１５の駆動を開始し、トイレ３の室内換気を開始し、次のステップＳ３に進む。
【００２４】
ステップＳ３では、トイレ３の使用が終わりトイレ照明スイッチ３１がオフとなったことを検出し、次のステップＳ４に進む。
【００２５】
ステップＳ４では、トイレ３の換気をそのまま短時間継続し、次のステップＳ５に進む。
【００２６】
ステップＳ５では、臭いセンサ１６の検出信号が所定値を越えているか否かの判別を行い、所定値を越えているときは次のステップＳ６に進み、トイレ３の換気を継続する。一方、臭いセンサ１６の検出信号が所定値以下のときは、トイレ３の室内に不快となる臭気が無い、または不快と感じない程度の臭気となっていると判断し、ステップＳ７に進み、換気ファン１５を停止し換気を終了する。
【００２７】
ステップＳ８では、トイレ照明スイッチ３１がオフのままであるか否かの判別を行い、オフのままであれば次のステップＳ９に進み、オンに切り替わっていれば、ステップＳ２に戻る。
【００２８】
すなわち、トイレ３の使用後の換気動作継続中に再びトイレ３を使用するためにトイレ照明スイッチ３１がオンされた場合は、トイレ照明スイッチ３１がオンの間はそのまま換気動作を継続、再度トイレ照明スイッチ３１をオフした時に臭いセンサ１６で臭気確認を行って、換気継続か換気動作終了かを判定することになる。
【００２９】
ステップＳ９では、トイレ照明スイッチ３１がオフしてから所定時間が経過したか否かの判別を行い、所定時間経過していれば次のステップＳ１０に進み、所定時間経過していなければステップＳ５に戻る。
【００３０】
ステップＳ１０では、トイレ３の室内換気を停止する。すなわち、トイレ３の使用後に換気動作を継続し、予め設定してあった所定時間が経過しても臭気が不快レベルを下回らなかったため、換気ファン１５を停止しトイレ換気を停止する。このとき、リモコン２０の表示部２１に換気が完了しなかったことを表示し（ステップＳ１１）、その後このプログラムを終了する。
なお、上記のステップＳ３において、トイレ照明スイッチ３１がオンからオフに切り替わったことを検出した時点で、装置制御部１０は、開閉弁１９の開閉状態を確認し、開閉弁１９が開放状態になっていれば、開閉弁１９を閉じるようにしている。開閉弁１９を閉じることで、浴室２からの空気の流入を防いで臭いセンサ１６によるトイレ３の臭気検出をより高精度に行うことができる。この開閉弁１９の閉状態は、その後トイレの換気が終了するまで継続させている。
例えば乾燥モードでの運転時には、開閉弁１９は開状態であるが、トイレ照明スイッチ３１がオンからオフに切り替わった時点で、一旦開閉弁１９を閉じて臭いセンサ１６によるトイレ３の臭気検出を精度良く行えるようにし、その後トイレ３での換気動作が終了した時点で再度開閉弁１９を開放し、通常の乾燥モードでの運転を行う。そして、開閉弁１９が閉状態であった閉時間をカウントし、その閉時間を乾燥モードとして予め設定されている運転時間に加算して、乾燥モードでの運転時間をその閉時間だけ延長して行うようにする。
【００３１】
以上述べたように、本発明では、臭いセンサ１６の検出信号に基づいて換気時間を最適に設定することでき、したがって、脱臭効果を十分得ることができ、省エネ効果も得られて電気代を節約でき、長時間にわたる駆動音も無くすことができる。
【００３２】
また、トイレ照明スイッチ３１のオフ後所定時間経過しても臭いセンサの検出レベルが下がらない場合は、換気を停止して過度の換気を行わないので、この点でも換気を適切に行うことができ、またその旨を表示して使用者に報知するので、使用者も的確に使用状況を把握することができる。
【００３３】
なお、上記の説明では、浴室２とトイレ３の換気を行うようにしたが、それ以外の部屋、例えば台所や居間等を同時に換気するように構成してもよい。
【図面の簡単な説明】
【００３４】
【図１】本発明の浴室暖房乾燥装置の全体構成を示す図である。
【図２】本発明の換気動作のフローチャートを示す図である。
【符号の説明】
【００３５】
１  浴室暖房乾燥装置
２  浴室
３  トイレ
１０  装置制御部
１１  浴室吸気ダクト
１２  トイレ吸気ダクト
１３  排気ダクト
１４  換気室
１５  換気ファン
１６  臭いセンサ
１７  循環室
１８  循環および熱交換部
１９  開閉弁
２０  リモコン
２１  表示部
２２  暖気スイッチ
３１  トイレ照明スイッチ
【図１】
2008309414.tif 000003
【図２】
2008309414.tif 000004